(57)【特許請求の範囲】
【請求項１】
短管内面に螺旋案内路の一部を一体的に形成した螺旋案内路付き短管から螺旋案内路付き管を形成する場合に、上側螺旋案内路付き短管の螺旋案内路の下端と、下側螺旋案内路付き短管の螺旋案内路の上端との間に使用する下水用シールゴムであって、
上側螺旋案内路の下端部下面及び下端面に当接する面と、下側螺旋案内路の上端部上面及び上端面に当接する面と、上側螺旋案内路の下端部上面から下側螺旋案内路の上端部上面に至る傾斜面とを備えたことを特徴とする下水用シールゴム。
【請求項２】
短管内面に螺旋案内路の一部を一体的に形成した螺旋案内路付き短管を螺旋案内路の上面が連続するように組み立てる螺旋案内路付き管の製造方法であって、
上記螺旋案内路付き短管の螺旋案内路の下端に請求項１記載の下水用シールゴムを接着し、該下水用シールゴムを接着した螺旋案内路付き短管を上下に組み立てていくことを特徴とする螺旋案内路付き管の製造方法。
【発明の詳細な説明】
【０００１】
【発明の属する技術分野】
本発明は、螺旋案内路付き短管から螺旋案内路付き管を製造する方法及び、その際に、螺旋案内路付き短管の螺旋案内路の下端に使用する下水用シールゴムに関するものである。
【０００２】
【従来の技術】
管内面に螺旋状の案内路が設けられた主として下水道用縦管として用いられる螺旋案内路付き管については以下の様な技術が存在する。
螺旋案内路付き短管にフランジ、または受け口挿し口を設けて接続を行う内面螺旋案内路付き管の組立方法がある。
この技術を用いる螺旋案内路付き管は、繊維強化プラスチックのハンドレイアップで螺旋案内路を一体で成形する場合に比較して、比較的容易に成形することが可能である。
【０００３】
しかし、螺旋案内路は螺旋がほぼ連続になるように螺旋案内路付き短管同士を接続しても短管毎の螺旋案内路の継ぎ目で不連続になるという短所があり、流れる流体（下水）が、図２０に示すように、螺旋案内路ａ、ａの継ぎ目の隙間ｂから漏れ（図２０の点線の矢印）、完全な螺旋流を形成しない問題があった。
これを解決する方法としては、図２１に示すように、螺旋案内路ｃ、ｃの継ぎ目部分の段差が少なくなるようにする方法、図２２に示すように、螺旋案内路ｄ、ｄの継ぎ目の重なり部分が大きくなるようにする方法等が考えられるが、いずれも根本的な継ぎ目からの下水の漏れを解決する手段にはならなかった。
【０００４】
そこで、継ぎ目からの下水の漏れをなくすためには継ぎ目部分に、（１）充填剤を充填する（図２３参照）、（２）ゴム（発泡ゴムを含む）を継ぎ目に挟む（図２４参照）といった手段が考えられるが、（１）は長期使用に関して充填剤ｅが流出する。また製造に際して充填剤ｅの注入に作業者によってバラツキが出る。（２）のゴムｆを継ぎ目に挟む方法の場合、接着剤等で固定しておいても接着剤等の劣化でゴムｆがずれるといった長期使用時での懸念事項が残る。
【０００５】
【発明が解決しようとする課題】
本発明は、上記のような従来の問題点を解消するためになされたもので、螺旋案内路付き短管から螺旋案内路付き管を形成する場合に、その継ぎ目からの下水の漏れをなくするのに適した下水用シールゴム、及び、製造が容易で、螺旋案内路の継ぎ目の隙間が無くなる螺旋案内路付き管の製造方法を提供することを目的としてなされたものである。
【０００６】
【課題を解決するための手段】
本願の請求項１の発明（本発明１）は、短管内面に螺旋案内路の一部を一体的に形成した螺旋案内路付き短管から螺旋案内路付き管を形成する場合に、上側螺旋案内路付き短管の螺旋案内路の下端と、下側螺旋案内路付き短管の螺旋案内路の上端との間に使用する下水用シールゴムであって、上側螺旋案内路の下端部下面及び下端面に当接する面と、下側螺旋案内路の上端部上面及び上端面に当接する面と、上側螺旋案内路の下端部の上面から下側螺旋案内路の上端部の上面に至る傾斜面とを備えた下水用シールゴムである。
【０００７】
本願の請求項２の発明（本発明２）は、短管内面に螺旋案内路の一部を一体的に形成した螺旋案内路付き短管を螺旋案内路の上面が連続するように組み立てる螺旋案内路付き管の製造方法であって、上記螺旋案内路付き短管の螺旋案内路の下端に請求項１記載の下水用シールゴムを接着し、該下水用シールゴムを接着した螺旋案内路付き短管を上下に組み立てていく螺旋案内路付き管の製造方法である。
【０００８】
【作用】
本発明１の下水用シールゴムは、短管内面に螺旋案内路の一部を一体的に形成した螺旋案内路付き短管から螺旋案内路付き管を形成する場合に、上側螺旋案内路付き短管の螺旋案内路の下端と、下側螺旋案内路付き短管の螺旋案内路の上端との間に使用する下水用シールゴムであって、上側螺旋案内路の下端部下面及び下端面に当接する面と、下側螺旋案内路の上端部上面及び上端面に当接する面と、上側螺旋案内路の下端部の上面から下側螺旋案内路の上端部の上面に至る傾斜面とを備えたことにより、シールゴムが螺旋案内路の継ぎ目に嵌合して外れないので、螺旋案内路の継ぎ目から流体が漏れることがない。
【０００９】
本発明２の螺旋案内路付き管の製造方法は、短管内面に螺旋案内路の一部を一体的に形成した螺旋案内路付き短管を螺旋案内路の上面が連続するように組み立てる螺旋案内路付き管の製造方法であって、上記螺旋案内路付き短管の螺旋案内路の下端に請求項１記載の下水用シールゴムを接着し、該下水用シールゴムを接着した螺旋案内路付き短管を上下に組み立てていくことにより、螺旋案内路付き短管を接続して螺旋案内路付き管を製造する際、シールゴムが短管同士の回転方向の位置決めとなり、製造が容易になる。また、シールゴムの傾斜面により、上側螺旋案内路の下端部の上面から下側螺旋案内路の上端部の上面が連続するので、螺旋案内路の継ぎ目の隙間が無くなる。さらに、シールゴムが螺旋案内路の継ぎ目に接着されて嵌合しているので、シールゴムが外れることがない。
【００１０】
【発明の実施の形態】
以下、本発明の実施の形態を図面を参照して説明する。
図１〜図４は、それぞれ本発明の下水用シールゴムの例を示す断面図である。
本発明の下水用シールゴムは、螺旋案内路付き短管から螺旋案内路付き管を形成する場合に、上側螺旋案内路付き短管の螺旋案内路の下端と下側螺旋案内路付き短管の螺旋案内路の上端との間に使用される。
本発明の下水用シールゴム１は、図１に示すようなもので、この場合、上側螺旋案内路２の下端部下面２１及び下端面２２に当接する略水平面１１及び垂直面１２と、下側螺旋案内路２の上端部上面２３及び上端面２４に当接する略水平面１３及び垂直面１４と、上側螺旋案内路２の下端部上面２５から下側螺旋案内路の上端部上面２３に至る傾斜面１５とを備えている。
上側螺旋案内路２付き短管３の螺旋案内路の下端が、図１の下水用シールゴム１の上部の略直角な面の垂直面１２に当接し、下側螺旋案内路２付き短管３の案内路の上端が、下水用シールゴム１の下部の略直角な面の垂直面１４に当接し、下水用シールゴム１は嵌合される。その他、図２〜図４に示すような断面形状のものも好適に使用される。
【００１１】
上側螺旋案内路２の下端面２２及び下側螺旋案内路２の上端部上面２３に当接する垂直面１２及び略水平面１３と、上側螺旋案内路２の下端部上面から下側螺旋案内路２の上端部上面に至る傾斜面１５とを備えている部分（三角形部分）と他の部分は図１〜図３に示すように、三角形部分の最大角部分に隣接している。また、図４に示すように、三角形部分と他の部分が直線部でつながるような形状でもよい（効果については実施例１参照）。
【００１２】
以上述べたように三角形部分はいわゆる三角形のほか、各片が若干のＲを持つ場合もあり得る。また、三角形部分及び他の部分の角の先端にＲ、面取り（Ｒ×２の値、面取りの値は螺旋案内路の継ぎ目に発生する段差の１／２程度までが目安）が設けられているものも許容される。
【００１３】
この様なシールゴムを使用することにより以下の様な長所が生まれる。
（１）シールゴムが螺旋案内路の継ぎ目に嵌合しているので、シールゴムが外れることがない。
（２）シールゴムが螺旋案内路の継ぎ目にあるため、螺旋案内路の継ぎ目から流体が漏れることがない。
（３）螺旋案内路付き短管を接続して螺旋案内路付き管を製造する際、シールゴムが短管同士の回転方向の位置決めとなり、製造が容易になる。
（４）シールゴムは上側螺旋路の下端部上面から下側螺旋路の上端部上面に至る傾斜面を備えたことにより、上側螺旋案内路の下端部の上面から下側螺旋案内路の上端部の上面が連続するので、螺旋案内路の継ぎ目の隙間が無くなる。
【００１４】
図５〜図７に示すように、このような形状のシールゴム１、１ａ、１ｂを螺旋案内路２の継ぎ目部分に納める。
図８に示すように、シールゴム１は、螺旋案内路２の継ぎ目に納める。納め方は以下の様にする。
螺旋案内路付き短管３の螺旋案内路２の下端に、図９に示すように、シールゴム１を貼る。シールゴム１は上端よりも下端に貼った方が流体の流れる部分に螺旋案内路２とシールゴム１の隙間が出来る可能性が少ない。
接着剤４の種類はエポキシ系、ウレタン系等、シールゴムと螺旋案内路付き短管との組み合わせにより好適に使用できる接着剤を選択する。
次に、螺旋案内路付き短管３を２段に重ねて接合する際には、螺旋案内路の上面が連続するように短管３を螺旋の回転方向に回して位置決めをする。その際、シールゴムの段差が回転方向のストッパとなる。
【００１５】
シールゴムの材質はスチレン−ブタジエン共重合体、ポリクロロプレン、ポリイソプレン、ブタジエンアクリロニトリル共重合体、エチレン−プロピレン共重合体など天然ゴム、合成ゴム一般が使用可能である。
また、シールゴムの上に、エポキシ樹脂、ウレタン樹脂、ビニルエステル樹脂等で塗覆装を行ってもよい。塗覆装を行うことにより、シールゴムの耐薬品性、摩耗性（摩耗寿命）を向上させることが出来る。
シールゴムの成形方法は、形状により圧縮、注入、射出、押出いずれも成形可能である。また、図１０に示すように、上側螺旋案内路２の下端部下面２１に当接する面と、下側螺旋案内路２の上端面２４に当接する面とを備えた部分と、上側螺旋案内路２の下端面２２に当接する面と、下側螺旋案内路２の上端部上面２３に当接する面と、上側螺旋案内路２の下端部上面２５から下側螺旋案内路２の上端部上面２３に至る傾斜面とを備えた部分とを別々に成形して、図１１に示すように、後から接着する方法もある（実施例１参照）。
【００１６】
【実施例】
以下、本発明を実施例により説明する。
実施例１
まず、硬質非発泡（若干の気泡は内包する）ポリウレタンを原料とする螺旋１ピッチ分をその短管と共に、ポリオールとイソシアネートを衝突混合して成形する反応射出成形にて成形した。
寸法等は、以下のとおりである。
短管：ポリウレタン製内径φ２５０ｍｍ、短管の管厚み７．５ｍｍ
螺旋案内路の外形φ２５０ｍｍ、内径φ９０ｍｍ（外形φ９０ｍｍの通気目的の芯筒付き）
螺旋の肉厚：６．０ｍｍ
長さ：１６０ｍｍ
【００１７】
シールゴムの形状と製法は、以下のようにして実施した。
図１２に示す通りの形状で平面視扇形をしている。
この実施例では、螺旋案内路２の勾配よりもシールゴム１の上側螺旋案内路の上端部から下側螺旋案内路の上面に至る傾斜の勾配は、大きくなる方が下の螺旋との密着がよくなった（図１４及び図１５参照）。
図１６に示すシールゴムは、押出成形に適した形状（同一断面からなる）である。大量生産時にはコスト削減できる。
図１１に示すシールゴムは、組み合わせると図９と同様であるが、上側螺旋案内路の下端面に当接する面と、下側螺旋案内路の上端部上面に当接する面と、上側螺旋案内路の下端部上面から下側螺旋案内路の上端部上面に至る傾斜面とを備えた部分と、他の部分を分割して成形し、それを貼り合わせる。例えば他の口径において螺旋案内路同士の隙間が異なる場合にも貼り合わせる位置を変えることにより対応できる長所がある。
図４に示すシールゴム１ｃは、上側螺旋案内路の下端面に当接する面と、下側螺旋案内路の上端部上面に当接する面と、上側螺旋案内路の下端部上面から下側螺旋案内路の上端部上面に至る傾斜面とを備えた部分と、他の部分が直線でつながれた断面形状である。押出、射出等の成形法で成形できる。上の螺旋と下の螺旋の端部が重なる場合にこの形状になる。シールゴムと螺旋案内路の接着面積が大きくなるので組立時の信頼性が高まった。
【００１８】
これらの短管を以下のようにして、３ピッチ分の螺旋案内路付き短管を組み立てた。
また、シールゴムは、図１２に示すような形状を材料スチレン−ブタジエン共重合体で成形し、表面ハロゲン処理した。成形したシールゴムは、図９に示すように螺旋案内内路に接着剤で貼り付けた。
螺旋案内路付き管の組立は螺旋案内路付き短管を上下に接続していくのであるが、その際に図１３に示すように、螺旋案内路２の回転方向（図１３の矢印方向）の位置合わせを行う。シールゴム１を使用することにより、シールゴム１が回転方向のストッパの役割を果たし、螺旋案内路２の上面が連続するように組み立てていく際に回転方向位置合わせが容易になった。組み立てた螺旋案内路付き短管３は螺旋案内路２の継ぎ目の隙間への流体の漏れが見られなかった。
【００１９】
シールゴムの材質は本実施例のスチレン−ブタジエン共重合体のほか、ブタジエンアクリロニトリル共重合体、ポリイソプレン、エチレン−プロピレン共重合体等合成ゴム、天然ゴム一般が使用可能である。
【００２０】
螺旋案内路付き短管の材質は、本実施例のポリウレタンのほか、ノルボルネン系モノマーとメタセシス触媒を主原料とする反応射出材料、また、ポリ塩化ビニル等の熱可塑性樹脂を主原料とする場合、または、熱硬化性樹脂等の場合、繊維強化プラスチックの場合も可能である。また、発泡ポリウレタン等発泡材料の場合の問題なく可能である。
【００２１】
参考例１
図１７に示すように実施した。本参考例では図１０のように形成した三角形部分と他の部分を螺旋案内路付き短管の螺旋案内路の上端、下端に貼り付けた。この様な方法でも実施例１のような性能は得られる。この場合の長所は例えば他の口径において螺旋案内路同士の隙間が異なる場合にも貼り合わせる位置を変えることにより対応できることである（図１１、実施例１参照）。但し、接着剤が劣化した場合にゴムが螺旋案内路から外れるおそれがあるという短所がある。
【００２２】
参考例２
参考例２は本発明のシールゴムを螺旋案内路付き管の製造以外に適用したものである。シールゴムは図４と類似の三角形部分と他の部分が直線でつながった構成のものを使用した。図１８及び図１９に示すように、矩形の人孔５等の穴に樹脂、あるいは繊維強化プラスチック、金属の板、あるいはグレーチングで蓋６をする場合に本発明の下水用シールゴム１を利用して蓋６の納まりがなされる。
上記の蓋であると、人孔内の異臭等が外部に漏れない、蓋の段差をシールゴムの傾斜面がカバーし、台車等が蓋上を通過する際も、台車の車輪が引っ掛かからない、蓋が人孔の位置からずれない。また、シールゴムが外れないという効果がある。
【００２３】
【発明の効果】
請求項１記載の本発明の下水用シールゴムは、短管内面に螺旋案内路の一部を一体的に形成した螺旋案内路付き短管から螺旋案内路付き管を形成する場合に、上側螺旋案内路付き短管の螺旋案内路の下端と、下側螺旋案内路付き短管の螺旋案内路の上端との間に使用する下水用シールゴムであって、上側螺旋案内路の下端部下面及び下端面に当接する面と、下側螺旋案内路の上端部上面及び上端面に当接する面と、上側螺旋案内路の下端部の上面から下側螺旋案内路の上端部の上面に至る傾斜面とを備えたことにより、シールゴムが螺旋案内路の継ぎ目に嵌合して外れないので、螺旋案内路の継ぎ目から流体が漏れることがない。
請求項２記載の本発明の螺旋案内路付き管の製造方法は、短管内面に螺旋案内路の一部を一体的に形成した螺旋案内路付き短管を螺旋案内路の上面が連続するように組み立てる螺旋案内路付き管の製造方法であって、上記螺旋案内路付き短管の螺旋案内路の下端に請求項１記載の下水用シールゴムを接着し、該下水用シールゴムを接着した螺旋案内路付き短管を上下に組み立てていくことにより、螺旋案内路付き短管を接続して螺旋案内路付き管を製造する際、シールゴムが短管同士の回転方向の位置決めとなり、製造が容易になる。また、シールゴムの傾斜面により、上側螺旋案内路の下端部の上面から下側螺旋案内路の上端部の上面が連続するので、螺旋案内路の継ぎ目の隙間が無くなる。さらに、シールゴムが螺旋案内路の継ぎ目に接着されて嵌合しているので、シールゴムが外れることがない。
【図面の簡単な説明】
【図１】本発明の下水用シールゴムの一例を示す断面図。
【図２】本発明の下水用シールゴムの別の例を示す断面図。
【図３】本発明の下水用シールゴムの更に別の例を示す断面図。
【図４】本発明の下水用シールゴムの更に別の例を示す断面図。
【図５】本発明の下水用シールゴムの納まりを示す断面図。
【図６】本発明の下水用シールゴムの納まりを示す断面図。
【図７】本発明の下水用シールゴムの納まりを示す断面図。
【図８】本発明の下水用シールゴムの納まりを示す平面図。
【図９】本発明の下水用シールゴムを接着剤で螺旋案内路に取り付けた状態を示す断面図。
【図１０】本発明の下水用シールゴムの製法を示す断面図。
【図１１】本発明の下水用シールゴムの製法を示す断面図。
【図１２】本発明の下水用シールゴムの一例を示し、（ａ）は左側面端面、（ｂ）は正面図、（ｃ）は右側面端面図。
【図１３】本発明の螺旋案内路付き管の組立方法を示す斜視図。
【図１４】本発明の下水用シールゴムの勾配の状態を示す断面図。
【図１５】本発明の下水用シールゴムの勾配の状態を示す断面図。
【図１６】本発明の下水用シールゴムの押出成形に適した形状を示し、（ａ）は正面図、（ｂ）は側面図。
【図１７】（ａ）は、本発明の下水用シールゴムの上の部分の状態を示す断面図、（ｂ）は、その下の部分の状態の一例を示す断面図。
【図１８】本発明の下水用シールゴムを人孔に使用した状態を示す平面図。
【図１９】図１８におけるＡ−Ａ断面の拡大図。
【図２０】従来技術の螺旋案内路の継ぎ目部分の状態を示す側面図。
【図２１】従来技術の螺旋案内路の継ぎ目部分の段差を少なくした状態を示す側面図。
【図２２】従来技術の螺旋案内路の継ぎ目部分の重なり部を大きくした状態を示す側面図。
【図２３】従来技術の螺旋案内路の継ぎ目部分に充填剤を充填した状態を示す側面図。
【図２４】従来技術の螺旋案内路の継ぎ目部分にゴムを挟んだ状態を示す側面図。
【符号の説明】
１、１ａ、１ｂ、１ｃ  シールゴム
１１  略水平面（上側螺旋案内路の下端部下面が当接する面）
１２  垂直面（上側螺旋案内路の下端面が当接する面）
１３  略水平面（下側螺旋案内路の上端部上面が当接する面）
１４  垂直面（下側螺旋案内路の上端面が当接する面）
１５  傾斜面
２  螺旋案内路
２１  上側螺旋案内路の下端部下面
２２  上側螺旋案内路の下端面
２３  下側螺旋案内路の上端部上面
２４  下側螺旋案内路の上端面
２５  上側螺旋案内路の下端部上面
３  短管
【図２】
0004320075.tif 000002
【図３】
0004320075.tif 000003
【図４】
0004320075.tif 000004
【図６】
0004320075.tif 000005
【図７】
0004320075.tif 000006
【図８】
0004320075.tif 000007
【図９】
0004320075.tif 000008
【図１０】
0004320075.tif 000009
【図１１】
0004320075.tif 000010
【図１２】
0004320075.tif 000011
【図１３】
0004320075.tif 000012
【図１４】
0004320075.tif 000013
【図１５】
0004320075.tif 000014
【図１６】
0004320075.tif 000015
【図１７】
0004320075.tif 000016
【図１８】
0004320075.tif 000017
【図１９】
0004320075.tif 000018
【図２０】
0004320075.tif 000019
【図２１】
0004320075.tif 000020
【図２２】
0004320075.tif 000021
【図２３】
0004320075.tif 000022
【図２４】
0004320075.tif 000023
【図１】
0004320075.tif 000024
【図５】
0004320075.tif 000025